(57)【要約】【課題】簡易で安価な検査装置であり、且つ確実に非接触情報記録媒体の検査を実施可能な検査装置および検査方法を提供することを課題とする。【解決手段】非接触情報記録媒体の検査装置１０であって、非接触情報記録媒体１が有する機能を定期的に、順次問い合わせることによってそれらの機能が正常かどうかを検査するＰｏｌｌｉｎｇ検査を実施するためのプログラムと、非接触情報記録媒体と無線通信するための近接場型の無線通信であるＮＦＣ（Ｎｅａｒ  Ｆｉｅｌｄ  Ｃｏｍｍｕｎｉｃａｔｉｏｎ）機能と、非接触情報記録媒体の通信可能な最大距離を測定する通信距離測定のための近接センサと、を具備したスマートフォン２と、非接触情報記録媒体とスマートフォンとの距離を変えることができる手段と、を備えていることを特徴とする非接触情報記録媒体の検査装置。【選択図】図１
2017107418.tif 000002
【特許請求の範囲】
【請求項１】
非接触情報記録媒体の検査装置であって、
非接触情報記録媒体が有する機能を定期的に、順次問い合わせることによってそれらの機能が正常かどうかを検査するＰｏｌｌｉｎｇ検査を実施するためのプログラムと、
非接触情報記録媒体と無線通信するための近接場型の無線通信であるＮＦＣ（Ｎｅａｒ
Ｆｉｅｌｄ  Ｃｏｍｍｕｎｉｃａｔｉｏｎ）機能と、
非接触情報記録媒体の通信可能な最大距離を測定する通信距離測定のための近接センサと、を具備したスマートフォンと、
非接触情報記録媒体とスマートフォンとの距離を変えることができる手段と、を備えていることを特徴とする非接触情報記録媒体の検査装置。
【請求項２】
請求項１に記載の非接触情報記録媒体の検査装置を用いた非接触情報記録媒体の検査方法であって、
検査対象の前記非接触情報記録媒体を前記スマートフォンと通信不可能な初期位置に配置する工程と、
前記非接触情報記録媒体を前記スマートフォンに向って初期位置から近づける移動工程と、
移動工程において、前記非接触情報記録媒体と前記スマートフォンとが前記ＮＦＣ機能により通信可能となった位置において、前記Ｐｏｌｌｉｎｇ検査と前記通信距離測定を実施することを特徴とする非接触情報記録媒体の検査方法。
【発明の詳細な説明】
【技術分野】
【０００１】
本発明は、ＲＦＩＤタグや非接触ＩＣカードなどの非接触情報記録媒体の検査装置および非接触情報記録媒体の検査方法に関する。
【背景技術】
【０００２】
非接触情報記録媒体を出荷する前に、非接触情報記録媒体の出荷検査が行われる。このような出荷検査では、非接触情報記録媒体が正常に機能するかどうかの検査や、非接触情報記録媒体が通信可能になる距離の測定などが行われる。
【０００３】
図５に、従来の非接触情報記録媒体の検査装置の例を示した。従来の検査装置２０は、例えば、載せ台上３とその下方に備えられた載せ台下４を備えている。載せ台上３には非接触情報記録媒体１が配置される。載せ台下４には非接触情報記録媒体１のリーダー／ライター６が配置される。載せ台上３は、図５に示した動作方向に移動可能となっており、載せ台上３を動作方向に移動可能な手段（図示せず）を備えており、非接触情報記録媒体１とリーダー／ライター６との距離は調整可能となっている。ハイトゲージ５は、載せ台４と載せ台３の距離を測定するための手段である。距離を測定する手段としては、ハイトゲージ５に限定する必要はなく、他の距離測定手段を使用可能である。
【０００４】
また、図４に示したように、リーダー／ライター６の代わりに、ＮＦＣ対応のスマートフォン２やタブレット端末を使用し、実証的に検査を行うことで、より利用シーンに近い現実的な検査を行うことも考えられる。
【０００５】
次に、図４および５の検査装置２０を用いて非接触情報記録媒体１を検査する方法について説明する。図３に示したように、従来の検査方法においては、まずＰｏｌｌｉｎｇ検査を行い、検査結果が良好でなかったものを不良品として選別し、良好な結果が得られたものについて、次の段階で通信距離測定を行い、通信距離データを記録する、という２段階検査を実施してきた。
【０００６】
ここで、Ｐｏｌｌｉｎｇ（ポーリング）とは、一般的な意味として、通信やソフトウェアにおいて、競合を回避したり、送受信の準備状況を判断したり、処理を同期したりするために、複数の機器やプログラムに対して順番に定期的に問い合わせを行い、一定の条件を満たした場合に送受信や処理を行う通信及び処理方式のことであり、Ｐｏｌｌｉｎｇ検査は、非接触情報記録媒体１が有する機能を定期的に、順次問い合わせることによってそれらの機能が正常かどうかを検査することを指す。
【０００７】
膨大な数量の非接触情報記録媒体を検査する場合には、多数の検査装置を用意して検査するため、検査装置２０の価格はできるだけ低く抑え、検査に要する時間もできるだけ短縮する必要がある。
【０００８】
そのため、検査装置として比較的高価なリーダー／ライターを使用せずに、安価なスマートフォンなどを使用した検査技術についての先行技術について調査したが、該当する技術を見出すことはできなかった。
類似する検査技術としては、例えば特許文献１には、非接触情報記録媒体であるＲＦＩＤメディアが、物品に密着されると共振周波数がずれるため、予めそのずれを見込んで設計されることがある。そのずれ量が適正かどうかを調べる検査方法が開示されている。
【０００９】
この非接触情報記録媒体の検査装置には、リーダー／ライターが３台１組として構成さ
れており、検査の処理能力を上げるためには、大量のリーダー／ライターを必要とする。
【００１０】
このように大量のリーダー／ライターを必要とするため、その装置費用だけでも大きな負担となる。また、周波数帯が変われば、それに対応したリーダー／ライターが必要になる。
【先行技術文献】
【特許文献】
【００１１】
【特許文献１】特開２０１４−１９１７７２号公報
【発明の概要】
【発明が解決しようとする課題】
【００１２】
本発明は、上記の事情に鑑み、簡易で安価な検査装置であり、且つ確実に非接触情報記録媒体の検査を実施可能な検査装置および検査方法を提供することを課題とする。
【課題を解決するための手段】
【００１３】
上記の課題を解決する手段として、本発明の請求項１に記載の発明は、非接触情報記録媒体の検査装置であって、
非接触情報記録媒体が有する機能を定期的に、順次問い合わせることによってそれらの機能が正常かどうかを検査するＰｏｌｌｉｎｇ検査を実施するためのプログラムと、
非接触情報記録媒体と無線通信するための近接場型の無線通信であるＮＦＣ（Ｎｅａｒ
Ｆｉｅｌｄ  Ｃｏｍｍｕｎｉｃａｔｉｏｎ）機能と、
非接触情報記録媒体の通信可能な最大距離を測定する通信距離測定のための近接センサと、を具備したスマートフォンと、
非接触情報記録媒体とスマートフォンとの距離を変えることができる手段と、を備えていることを特徴とする非接触情報記録媒体の検査装置である。
【００１４】
また、請求項２に記載の発明は、請求項１に記載の非接触情報記録媒体の検査装置を用いた非接触情報記録媒体の検査方法であって、
検査対象の前記非接触情報記録媒体を前記スマートフォンと通信不可能な位置に配置する工程と、
前記非接触情報記録媒体と前記スマートフォンとの距離を近づける移動工程と、
移動工程において、前記非接触情報記録媒体と前記スマートフォンとが前記ＮＦＣ機能により通信可能となった位置において、前記Ｐｏｌｌｉｎｇ検査と前記通信距離測定を実施することを特徴とする非接触情報記録媒体の検査方法である。
【発明の効果】
【００１５】
本発明の非接触記録媒体の検査装置および検査方法によれば、ＮＦＣ対応で且つ非接触情報記録媒体との距離を計測可能な近接センサを備えたスマートフォンを使用して、Ｐｏｌｌｉｎｇ検査と通信距離測定をほぼ同時に行うことができるため、Ｐｏｌｌｉｎｇ検査と通信距離測定を直列的に実施する従来の検査装置に比べ、検査に要する時間を短縮することができる。また、スマートフォンを使用した検査装置であるため、簡易且つ安価な検査装置とすることができる。
【図面の簡単な説明】
【００１６】
【図１】本発明の非接触情報記録媒体の検査方法を説明するためのフロー図。
【図２】本発明の非接触情報記録媒体の検査装置の構成の一例を示す俯瞰図。
【図３】従来の非接触情報記録媒体の検査方法を説明するためのフロー図。
【図４】従来の非接触情報記録媒体の検査装置の構成の一例を示す俯瞰図。
【図５】従来の非接触情報記録媒体の検査装置の構成の一例を示す俯瞰図。
【発明を実施するための形態】
【００１７】
＜非接触情報記録媒体の検査装置＞
本発明の非接触情報記録媒体の検査装置について図１を用いて説明する。
本発明の非接触情報記録媒体の検査装置１０は、非接触情報記録媒体１が有する機能を定期的に、順次問い合わせることによってそれらの機能が正常かどうかを検査するＰｏｌｌｉｎｇ検査を実施するためのプログラムと、非接触情報記録媒体１と無線通信するための近接場型の無線通信であるＮＦＣ（Ｎｅａｒ  Ｆｉｅｌｄ  Ｃｏｍｍｕｎｉｃａｔｉｏｎ）機能と、非接触情報記録媒体１の通信可能な最大距離を測定する通信距離測定のための近接センサと、を具備したスマートフォン２と、非接触情報記録媒体１とスマートフォン２との距離を変えることができる手段と、を備えている。
【００１８】
Ｐｏｌｌｉｎｇ検査では、スマートフォン２が、非接触情報記録媒体１が有する機能を定期的に、順次問い合わせることによってそれらの機能が正常かどうかを検査する。
【００１９】
通常のスマートフォンには、Ｐｏｌｌｉｎｇ検査を非接触情報記録媒体１に対して実行するプログラムは内蔵されていないため、この検査を実施するために、専用のＰｏｌｌｉｎｇ検査を実行するためのプログラムを予めインストールしておく。
【００２０】
図２において、検査対象の非接触情報記録媒体１が載せ台３に載置された初期状態においては、載せ台下４に載置してあるスマートフォン２と非接触情報記録媒体１との距離は、通信ができない距離に設定されている。検査を開始すると、載せ台上３を載せ台下４に向って下降させることができる手段（図示せず）によって、載せ台上３が下降して行く。
あるところまで載せ台上３が下降すると、非接触情報記録媒体１がスマートフォン２と通信可能（読取り成功）な範囲に至る。その時点で、スマートフォン２は非接触情報記録媒体１に対してＰｏｌｌｉｎｇ検査を実施する。
実質的にそれと同時に、スマートフォン２に備えられている近接センサがスマートフォン２と非接触情報記録媒体１との距離を計測し、その距離データをスマートフォン２に記録する。ここで、距離データをスマートフォン２に記録するのは、Ｐｏｌｌｉｎｇ検査の結果が良好である、即ち非接触情報記録媒体が良品であると判定された場合に限っても良い。
また、ここで実質的に同時であるとは、Ｐｏｌｌｉｎｇ検査と近接センサがスマートフォン２と非接触情報記録媒体１との距離を計測する工程が、直列的に実行された場合であっても、Ｐｏｌｌｉｎｇ検査に要する時間が数百ミリ秒から１秒程度の短時間で処理可能である場合は、実質的に両者が同時並行で処理されていると見なすことができる。プログラムとして、実際に同時に並列処理されるようにプログラムし、実施することも可能である。
【００２１】
一方、載せ台上３が、図示していない載せ台上３を載せ台下４に向って下降させる手段によって、下降しても、スマートフォン２が非接触情報記録媒体１と通信可能とならず、非接触情報記録媒体１との通信が出来ず、読取りに成功しない場合は、検査対象の非接触情報記録媒体１は、不良品であると判定し、不良品として選別される。
【００２２】
＜非接触情報記録媒体の検査方法＞
本発明の非接触情報記録媒体の検査方法を図１のフロー図を用いて説明する。
本発明の非接触情報記録媒体の検査方法は、検査対象の非接触情報記録媒体１をスマートフォン２と通信不可能な初期状態の位置（初期位置）に配置する工程と、非接触情報記録媒体１をスマートフォン２に向って初期位置から近づける移動工程と、移動工程において、非接触情報記録媒体１とスマートフォン２とがスマートフォン２のＮＦＣ機能により通信可能となる範囲に到達した時点で、Ｐｏｌｌｉｎｇ検査と通信距離測定を実施することによって、非接触情報記録媒体１の検査を実施し、測定した通信距離データを一時的に記録する。この検査方法によって、非接触情報記録媒体１が不良品であれば、移動工程によって、スマートフォン２と非接触情報記録媒体１との距離を近づけても、通信可能とはならないため、読取りは成功しない。その場合は、不良品として選別される。この場合は、一時的に記録した距離データを棄却する。良品であった場合は、データを保存する。
【００２３】
以上に説明したように、本発明の非接触情報記録媒体の検査装置および非接触情報記録媒体の検査方法は、検査対象の非接触情報記録媒体１の良否を、Ｐｏｌｌｉｎｇ検査が良好に実施可能かどうかで判定し、Ｐｏｌｌｉｎｇ検査と実質的に並行して非接触情報記録媒体１がスマートフォン２と通信可能な最大距離を測定する通信距離測定を実施することで、従来の非接触情報記録媒体の検査と比較して短時間で検査を実施することができる。
【００２４】
また、従来はリーダー／ライターを使用して検査していたのに対し、本発明においてはリーダー／ライターの代わりに、ＮＦＣ対応且つ近接センサを備えたスマートフォンに、検査用のプログラムをインストールしたものを使用しているため、実際の使用状況に近い検査ができる上に、安価なスマートフォンを使用した簡易な検査装置とすることが可能である。
【符号の説明】
【００２５】
１・・・非接触情報記録媒体
２・・・スマートフォン
３・・・載せ台上
４・・・載せ台下
５・・・検査装置
６・・・リーダー／ライター
１０、２０・・・検査装置
【図１】
2017107418.tif 000003
【図２】
2017107418.tif 000004
【図３】
2017107418.tif 000005
【図４】
2017107418.tif 000006
【図５】
2017107418.tif 000007